(57)【要約】      （修正有）【課題】工業用等に設備されるベルトコンベヤにおいてリターンベルトからの落塵除去の管理作業を少なくすること及び落塵障害のない状態が維持できる簡素な薄型のベルトコンベヤを提供する。【解決手段】コンベヤの構成要素であるリターンローラと落塵受けであるアンダーガード及び落塵シュートの３つの機能を兼ねるアンダー・パン１を装備したベルトコンベヤである。アンダー・パンはコンベヤ巾の略中央部分に噴気孔６を有する給気管５を配置した給気箱７を設備し、給気箱を経由して加圧空気を供給し、リターンベルトとアンダー・パンの間の摩擦抵抗を低減する構造を構成することによって、リターンベルトの動力負荷を大きくすることなく、リターンベルトの落塵をリターンベルトとアンダー・パンの間に挟む方法でコンベヤのテイル部へ搬送できる。【選択図】            図２
2004359456.tif 000002
【特許請求の範囲】
【請求項１】
工業用等に設備されるベルトコンベヤに関するもので、コンベヤの構成要素であるリターンローラと落塵受けであるアンダーガード及び落塵シュートの３つの機能を兼ねるアンダー・パンであり、且つアンダー・パンがベルトのリターン部分との間の摩擦抵抗を低減するための空気層を形成する構造を有することを特徴とする。
【発明の詳細な説明】
【０００１】
［発明の属する技術分野］本発明は工業用等に設備されるベルトコンベヤにおいてリターンベルトからの落塵をリターンローラと落塵受けであるアンダーガード及び落塵シュートの３つの機能を兼ねるアンダー・パンが摩擦抵抗を低減するための空気層を形成する構造を装備したベルトコンベヤである。
【０００２】
［従来の技術］工場の生産設備や特に建設現場の搬送設備として常用されるベルトコンベヤにおいて、コンベヤの構成要素であるリターンローラと落塵受けであるアンダーガード及び落塵を集めるシュートの３つの機能は、コンベヤの性能を維持する上で重要な役割を負担している。従来設備されているコンベヤではリターンローラによって摩擦抵抗を小さくし動力を軽減している、そしてアンダーガードによって持ち帰り付着物の落塵飛散を防止している。さらには落塵シュートを設備することで落塵の堆積による障害を回避している。これらの構成物はベルトコンベヤにそれぞれを構成する部品として提供されており、独立してベルトコンベヤ本体に組み付け使用されている。以上のような構成をされていることから、アンダーガードに堆積する落塵はコンベヤの設置角度が十分に傾斜をしていない場合は定期的に堆積したものを除去する必要があり、保安点検用の歩廊の設置が不可欠で設備化には費用がかかる。又、落塵シュートの設置については堆積量によって設置の場所は勘案されるがコンベヤ設備の保守作業の軽減を図るためには複数個のシュートを設置する。
【０００３】
特開２００３−１４６４２３、特開２００２−１２０９２６、特開２０００−４４０３７、及び特開平１１−２０８８６６に於てリターンベルトからの落塵によるリターンローラ等への付着物を少なくするために、洗浄設備やローラ表面へのチェーン装着やスクレーパーの設備が考案されている。
【０００４】
特開２００２−５３２１５、特開２００１−３０１９３５、及び特開平６−２３９４３８ではリターンローラとリターンベルトの接触面を少なくすることによって、リターンローラへの落塵付着を低減する考案がなされている。
【０００５】
特開２００２−１２０９１７、特開２００１−８０７２４、及び特開平１０−３５８５４ではリターンローラ等を容易に持ちあげたり、容易に取り外す構造に関するものでリターンベルトの落塵の清掃の煩雑さが伺い知れる考案であるが、リターンローラを使うための考案である。
【０００６】
特開平１１−１９７７８８はリターンベルトの表面に付着してる鋳物砂を確実に除去する加振ローラを考案している。リターン側の特定位置での除去落下を可能としているが、先端ベルトプーリーから最初のリターンローラまでの間での特定位置であること及び、鋳物砂に特定される性状のものである。
【０００７】
特開２００２−１９９４０は従来のリターンローラに代えて底板とその上にリターンベルト面を受ける人工芝を配置する考案である。ヘッドプーリーがテイルプーリーより高く設置されることで落塵をテイル部へ搬送することを意図する考案であり、適用場所を特定した設備の考案といえる。
【０００８】
特開平１０−７２２２は空気浮上式ベルトコンベヤへの改造方法に関する考案である。リターンベルトに関する落塵の問題を解決する考案ではない。
以上のように、従来の技術においてベルト・コンベヤが直面するリターンベルトの付着物による落塵を直接的に解決する考案が成されていないといえる。
【０００９】
［発明が解決しようとする課題］先願技術による従来のベルトコンベヤではコンベヤのリターン部分（リターンベルトと言う）の抵抗を少なくするためにリターンローラを設備しコロによる転がり摩擦を利用する設備が主流になっている。
又、コンベヤ面に付着した成分の落下物が様々の支障を生じることからアンダーガードを設備して落塵を捕集し、飛散を防止している。そして捕集した落塵を除去するために落塵シュートを設備すると共に、更には必要に応じて清掃作業をおこなっている。これらのリターンローラ、アンダーガード及び落塵シュートはベルトコンベヤの構成部品としてそれぞれ設備されている。リターンベルトの表面に付着した搬送物が脱落し飛散することへの対策としてアンダーガードに堆積する落塵の除去清掃は定期的に実施すべき設備管理の要点であるが、コンベヤの設置場所が高所である場合や狭小又は閉塞的な場所での清掃作業は容易ではない。
更にはアンダーガードに堆積する落塵の除去設備として装備される落塵シュートは設置する場所の制限が多いことから設備計画は困難を伴うことがある。リターンローラにはリターンベルトからの付着物が固着する場合が多く、固着の増大でベルトの張力が変化し設備に障害を与える場合がある。以上のように従来のベルトコンベヤではコンベヤ付着物による多くの障害がありこれに対する多くの維持管理作業が求められる。更には、従来の技術によるベルトコンベヤではリターンローラ、アンダーガード及び落塵シュートによって構成されることが一般的であり、設備の断面を薄くする仕様は困難である。本発明は従来のベルトコンベヤに関するリターンベルトの運動が落塵の清掃・運搬の効果を生ずる、新しい仕組みのアンダー・パンを設備したベルトコンベヤを提供することによって、複雑な維持管理作業を低減すると共に設備断面の薄型化を図ることを目的とする。
【００１０】
［課題を解決するための手段］本発明は、従来のベルトコンベヤのリターンローラ、アンダーガード及び落塵シュートの３種の構成部品の機能を統合した新規な構造のアンダー・パンを提供する。該アンダー・パンはリターンベルトとの間に空気層を形成するための、加圧空気を供給する仕組みを装備することによって摩擦抵抗の小さい支持具を提供し、従来のリターンローラに代わる摩擦抵抗の少ない、アンダーガードの機能を備えている。アンダー・パンはリターンベルトの摩擦による損耗を軽減すると共に、ベルト表面の落塵をパンの表面を伝って搬送元に返す機能を持たせていることで、落塵を一カ所に集めて捕集し落塵シュートの構成を簡便にする効果を有している。落塵がリターンベルトよって連続して搬出元に返送されることで従来のアンダーガードに堆積する落塵を清掃する作業が軽減されると共にこの落塵のない状態が維持されることで設備及び作業環境にとって良好な状態を提供し続けることができる。アンダー・パンは従来技術のリターンローラ、アンダーガード、及び落塵シュートの構成を変革するものであり、ベルトコンベヤを薄型の構造にできることから狭い場所への設置が可能である。
【００１１】
［発明の実施の形態］本発明の実施の形態を図１、図２の図面に基づいて説明する。本発明は従来の技術で作られたベルトコンベヤのリターンローラ、アンダーガード及び落塵シュートの３種類の部品の機能に相当するもので、加圧空気をリターンベルトの下面に供給する仕組みを持つアンダー・パンを提供することである。図１は本発明によるベルトコンベヤの側面図である。アンダー・パン１がリターンベルト２の荷重支える構造をで、搬送ベルト３はキャリアローラ４で支えている。アンダー・パンの下に給気管５を内蔵する給気箱７を配置し、給気箱は加圧空気の流れをリターンベルトの下面に伝達する仕組みである。図２は図１のＡ−Ａを破断線とする断面図である。外部から加圧空気を受けて給気管に接続し、これに設けた噴気孔６から給気箱に加圧空気を供給する。給気管は給気箱の中心部に配置される。給気箱はコンベヤ断面の中心にあり、アンダー・パンは給気箱を中心に左右対象に構成される。アンダー・パンはリターンベルトの重量を支える仕様で設置される。加圧空気を給気箱に均等に供給することで、アンダー・パンとリターンベルトの間に空気層を形成し、摩擦抵抗を低減する。リターンベルトからの落塵をアンダー・パンに捕集し、ベルトとアンダー・パンに挟み込む状態でベルトのリターン方向に搬送する。
【００１２】
［発明の効果］以上のように本発明は工業用等に設備されるベルトコンベヤにおいてリターンベルトからの落塵がアンダー・パンに捕集され、リターンベルトの運動によりテイルプーリーの方向に運搬され一個所に集約できることで、落塵の清掃等の煩雑な保守作業を低減すること、並びにこのようなベルトコンベヤにとって好ましい状態が持続的に維持できることである。リターンローラ、アンダーガード及び落塵シュートの構成を排除して、アンダー・パンに統合することで簡素な薄型のベルトコンベヤを構成できることから、狭い場所に設置できる経済的なベルトコンベヤを提供できる。
【図面の簡単な説明】
【図１】本発明における実施の形態に係るベルトコンベヤのアンダー・パンの構成を示す側面説明図である。
【図２】本発明における実施の形態に係るベルトコンベヤの図１、のＡ−Ａを破断線とするアンダー・バンの断面説明図である。
【符号の脱明】
１  アンダー・パン
２  リターンベルト
３  ベルト
４  キャリアローラ
５  給気管
６  噴気孔
７  給気箱
８  ヘッドプーリー
９  テイルプーリー
【図１】
2004359456.tif 000003
【図２】
2004359456.tif 000004